【事件の表示】
　特願２０１３−　２４４７１号「媒体集積装置及び媒体処理装置」拒絶査定不服審判事件〔平成２６年　８月２５日出願公開、特開２０１４−１５４００７号、請求項の数（１０）〕について、次のとおり審決する。
【結　論】
　原査定を取り消す。
　本願の発明は、特許すべきものとする。
【理　由】
第１　手続の経緯 
　本願は、平成２５年２月１２日の出願であって、平成２８年７月１５日付けで拒絶理由が通知され、同年９月２１日に意見書及び手続補正書が提出され、平成２９年１月１９日付けで最後の拒絶理由が通知され、同年３月２７日に意見書及び手続補正書が提出され、同年８月２８日付けで補正の却下の決定がされるとともに拒絶査定（以下「原査定」という。）がされ、同年１１月２８日に拒絶査定不服審判が請求されると同時に手続補正書が提出されたものである。 
　 　
第２　平成２９年８月２８日付けの補正の却下の決定及び原査定の概要
１　補正の却下の決定の概要
（１）平成２９年３月２７日付け手続補正書でした明細書及び特許請求の範囲についての補正は、願書に最初に添付した明細書、特許請求の範囲又は図面に記載した事項の範囲内においてしたものでない。よって、この補正は特許法第１７条の２第３項の規定に違反するものであるから、同法第５３条第１項の規定により却下すべきものである。
（２）請求項１についての補正が特許法第１７条の２第５項第２号に掲げる事項を目的とするものと仮定すると、補正後の請求項１に係る発明は特許出願の際独立して特許を受けることができるものでなければならないが、当該補正後の請求項１に係る発明は、以下の引用文献１及び２に記載された発明に基いて、その出願前にその発明の属する技術の分野における通常の知識を有する者が容易に発明できたものであり、特許法第２９条第２項の規定に該当するものであるから、特許出願の際独立して特許を受けることができない。よって、この補正は同法第１７条の２第６項において準用する同法第１２６条第７項の規定に違反するものであるから、同法第５３条第１項の規定により却下すべきものである。
　引用文献１：特開２０００−１１２３３号公報
　引用文献２：特開２００９−４６２９８号公報
　
２　原査定の概要
　平成２８年９月２１日付け手続補正書でした補正は、願書に最初に添付した明細書、特許請求の範囲又は図面に記載した事項の範囲内においてしたものでないから、特許法第１７条の２第３項に規定する要件を満たしていない。
　　
第３　審判請求時の補正について
１　補正の内容 
　平成２９年１１月２８日付けの手続補正（以下「本件補正」という。）は、特許請求の範囲の補正を含むものであって、請求項１、９及び１０について補正前後の記載を補正箇所に下線を付して示すと以下のとおりである。 
　なお、平成２９年３月２７日付けの手続補正は、平成２９年８月２８日付けの補正の却下の決定により却下されている。
（補正前の請求項１） 
「【請求項１】
　内部に形成された内部空間に媒体を収容するフレームと、
　上記内部空間内に設けられ、載置面上に上記媒体を載置して集積するステージと、
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　上記放出部から上記集積空間内へ放出された上記媒体の一部分を、上記集積済みの媒体に押圧すること無く、上記叩付可能範囲内へ誘導する誘導体と
　を具えることを特徴とする媒体集積装置。」 
　・・・
【請求項９】
　上記ステージの上記載置面又は当該載置面上に載置された上記媒体の最上面である載置最上面と上記放出部との間の高さを所定値以下に収めるように、上記ステージの位置を上記媒体の載置方向に沿って調整するステージ調整部
　をさらに具えることを特徴とする請求項１に記載の媒体処理装置。
【請求項１０】
　媒体を搬送する搬送部と、
　内部に形成された内部空間に上記媒体を収容するフレームと、
　上記内部空間内に設けられ、載置面上に上記媒体を載置して集積するステージと、
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　上記放出部から上記集積空間内へ放出された上記媒体の一部分を、上記集積済みの媒体に押圧すること無く、上記叩付可能範囲内へ誘導する誘導体と
　を具えることを特徴とする媒体処理装置。」
 　
（補正後の請求項１） 
「 【請求項１】
　内部に形成された内部空間に媒体を収容するフレームと、
　上記内部空間内
を上方向又は下方向へ移動可能であり
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　
上記媒体の進行路よりも上側に持ち上げられた持上状態と、該進行路よりも下側に下降した下降状態との間を遷移し、
を上記
　を具え
、
　
上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである
　
こと
・・・
  【請求項９】
　上記ステージの上記載置面又は当該載置面上に載置された上記媒体の最上面である載置最上面と上記放出部との間の高さを所定値以下に収めるように、上記ステージの位置を上記媒体の載置方向に沿って調整するステージ調整部
　をさらに具
え、
　
上記ステージの高さは、上記載置最上面と上記放出部との間の高さが上記所定値である場合の高さである
　
こと
集積
  【請求項１０】
　媒体を搬送する搬送部と、
　内部に形成された内部空間に上記媒体を収容するフレームと、
　上記内部空間内
を上方向又は下方向へ移動可能であり
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　
上記媒体の進行路よりも上側に持ち上げられた持上状態と、該進行路よりも下側に下降した下降状態との間を遷移し、
を上記
　を具え
、
　
上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである
　
こと
　
２　補正の目的の適否、新規事項の追加の有無及びシフト補正の有無 　 
（１）請求項１及び１０の補正について
　請求項１及び１０の補正は、補正前の請求項１及び１０に記載された発明を特定するために必要な事項である「ステージ」について、「上方向又は下方向へ移動可能であ」ることを、また、「誘導体」について、「上記媒体の進行路よりも上側に持ち上げられた持上状態と、該進行路よりも下側に下降した下降状態との間を遷移」することを限定するとともに、さらに、「上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである」ことを限定するものであって、補正前の請求項１及び１０に係る発明と補正後の請求項１及び１０に係る発明の産業上の利用分野及び解決しようとする課題も同一であるから、特許法第１７条の２第５項第２号に規定する特許請求の範囲の減縮を目的とするものである。
　さらに、請求項１及び１０の補正は、補正前にその構成が不明確であった「上記集積済みの媒体に押圧すること無く」との事項を削除するものであるから、特許法第１７条の２第５項第４号に規定する明りょうでない記載の釈明を目的とするものである。
　そして、請求項１及び１０の補正は、本願の願書に最初に添付した明細書（以下「当初明細書」といい、特許請求の範囲及び図面をも併せて「当初明細書等」という。）の「さらにフレーム２１内には、
ステージ２３を上下方向へ駆動する
誘導体６１の部分６１Ｃ、６１Ｄ及び６１Ｅは、放出部３７から放出された紙幣ＢＬがまっすぐ前方へ進行する場合の進行路Ｗ２よりも上側に持ち上げられている。
持上状態と呼ぶ。
その後誘導体６１は、紙幣ＢＬが集積空間ＳＣ内へ放出されるなどして当該紙幣ＢＬにより持ち上げられなくなると、
部分６１Ｃ、６１Ｄ及び６１Ｅを進行路Ｗ２よりも下側に下降させた状態（以下これを下降状態と呼ぶ）に戻る
ステージ２３は、
紙幣制御部１１による制御の下で、載置最上面を最も低い場合であっても高さＨ２に位置させるようにした
このためステージ２３は、最短紙幣ＢＬＳの前端が載置最上面にまで下降した際であっても、誘導体６１が下降状態に遷移したときに、当接部６１Ｑにより当該最短紙幣ＢＬＳの後端部分を羽根車３８の回転軌跡３８Ｒ内に押し入れさせることができる
　さらに、請求項１及び１０の補正は、特許法第１７条の２第４項に規定する要件を満たすものである。
    　
（２）請求項９の補正について
　請求項９の補正は、当初明細書等の段落【００９７】〜【０１０６】及び図１０等の記載を根拠に、補正前の請求項９に記載された発明を特定するために必要な事項である「ステージ」について、「上記ステージの高さは、上記載置最上面と上記放出部との間の高さが上記所定値である場合の高さである」ことを限定するものであって、補正前の請求項９に係る発明と補正後の請求項９に係る発明の産業上の利用分野及び解決しようとする課題も同一であるから、特許法第１７条の２第５項第２号に規定する特許請求の範囲の減縮を目的とするものであり、また、特許法第１７条の２第３項の規定に適合するものである。　
　さらに、請求項９の補正は、特許法第１７条の２第４項に規定する要件を満たすものである。
（３）小括
　以上のとおりであるから、本件補正は、特許法第１７条の２第３項から第５項までの要件を満たしている。
　また、「第５　当審の判断」に示すように、補正後の請求項１〜１０に係る発明は、独立特許要件を満たすものであるから、同法同条第６項にも適合する。
　
第４　本願発明 
　本願の請求項１〜１０に係る発明（以下「本願発明１〜１０」という。）は、平成２９年１１月２８日付けの手続補正により補正された特許請求の範囲の請求項１〜１０に記載された事項により特定される次のとおりのものである。
「【請求項１】
　内部に形成された内部空間に媒体を収容するフレームと、
　上記内部空間内を上方向又は下方向へ移動可能であり、載置面上に上記媒体を載置して集積するステージと、
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　上記媒体の進行路よりも上側に持ち上げられた持上状態と、該進行路よりも下側に下降した下降状態との間を遷移し、上記放出部から上記集積空間内へ放出された上記媒体の一部分を上記叩付可能範囲内へ誘導する誘導体と
　を具え、
　上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである
　ことを特徴とする媒体集積装置。
　　【請求項２】
　上記集積空間における上記放出部と対向する位置で上記媒体を衝突させるビルストッパをさらに具え、
　上記誘導体は、
　上記放出部から上記媒体が放出されるときには上記集積空間内における当該媒体の進行路から待避し、当該媒体が上記放出部から放出され上記ビルストッパに衝突した後に、当該媒体の一部分を上記叩付可能範囲内へ誘導する
　ことを特徴とする請求項１に記載の媒体集積装置。
　　【請求項３】
　上記放出部へ上記媒体を搬送する放出搬送部
　をさらに具え、
　上記誘導体は、
　上記放出搬送部により上記放出部へ搬送される媒体により、上記集積空間内における上記媒体の上記進行路から待避する
　ことを特徴とする請求項２に記載の媒体集積装置。
　　【請求項４】
　上記誘導体は、
　少なくとも一部分を変形させることにより、上記集積空間内における上記媒体の上記進行路から待避する
　ことを特徴とする請求項３に記載の媒体集積装置。
　　【請求項５】
　上記ビルストッパは、
　上記媒体が衝突する衝突面に、上記ステージから遠い部分よりも上記ステージに近い部分が上記放出部から離れるように段差が形成されている
　ことを特徴とする請求項２に記載の媒体集積装置。
　　【請求項６】
　上記誘導体は、
　上記放出部から放出された上記媒体により、上記集積空間内における上記媒体の進行路から待避する
　ことを特徴とする請求項１に記載の媒体集積装置。
　　【請求項７】
　上記誘導体は、
　少なくとも一部分を変位させることにより、上記集積空間内における上記媒体の進行路から待避する
　ことを特徴とする請求項１に記載の媒体集積装置。
　　【請求項８】
　上記誘導体は、
　上記媒体のうち放出される方向に関する長さが最も短い最短媒体が上記集積空間内に放出された後、当該最短媒体の先端が上記ステージの上記載置面又は当該載置面上に載置された上記媒体の最上面に最も近接すると共に上記放出部から最も離れた場合に、当該最短媒体の末端と当接する当接部を上記叩付可能範囲内に位置させる
　ことを特徴とする請求項１に記載の媒体集積装置。
　　【請求項９】
　上記ステージの上記載置面又は当該載置面上に載置された上記媒体の最上面である載置最上面と上記放出部との間の高さを所定値以下に収めるように、上記ステージの位置を上記媒体の載置方向に沿って調整するステージ調整部をさらに具え、
　上記ステージの高さは、上記載置最上面と上記放出部との間の高さが上記所定値である場合の高さである
　ことを特徴とする請求項１に記載の媒体集積装置。
　　【請求項１０】
　媒体を搬送する搬送部と、
　内部に形成された内部空間に上記媒体を収容するフレームと、
　上記内部空間内を上方向又は下方向へ移動可能であり、載置面上に上記媒体を載置して集積するステージと、
　上記内部空間のうち上記ステージの上記載置面側である集積空間内へ上記媒体を放出する放出部と、
　上記媒体の一部が所定の叩付可能範囲にあるときに、当該媒体の一部を上記ステージの上記載置面又は当該載置面上に載置された集積済みの媒体上に叩き付ける叩付部と、
　上記媒体の進行路よりも上側に持ち上げられた持上状態と、該進行路よりも下側に下降した下降状態との間を遷移し、上記放出部から上記集積空間内へ放出された上記媒体の一部分を上記叩付可能範囲内へ誘導する誘導体と
　を具え、
　上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである
　ことを特徴とする媒体処理装置。」 
　　 
第５　当審の判断 
１　原査定について
　原査定は、平成２８年９月２１日付け手続補正書でした補正について、請求項１において「上記媒体の一部分を上記叩付可能範囲内へ誘導する誘導体
」とあるのを「上記媒体の一部分を、上記集積済みの媒体に押圧すること無く、上記叩付可能範囲内へ誘導する誘導体」とする補正は、願書に最初に添付した明細書、特許請求の範囲又は図面の記載の範囲内においてしたものではないから、特許法第１７条の２第３項に規定する要件を満たしていない、というものである。
　しかし、上記「第２」のとおり、本件補正により、本願の請求項１は補正され、この補正により、上記拒絶の理由は解消した。
　
２　独立特許要件について
２−１　引用文献の記載事項等
（１）引用文献１の記載事項等
（１−１）引用文献１の記載事項
　本願出願前に頒布された刊行物である引用文献１（特開２０００−１１２３３号公報）には、次の記載がある（下線は当審で付した。以下同様。）。
（１ａ）「【０００１】
【発明の属する技術分野】
この発明は、
紙葉類集積装置に関し
（１ｂ）「【０００４】
【発明が解決しようとする課題】しかし、図９に示すように、
長さが異なる紙葉類を混合集積したとき、短寸紙葉類８２ａは収納箱８３の奥方に移動して羽根車８５の回転接触領域外に離れて、羽根車８５の強制集積作用を受けずに緩やかに落下するため次搬入紙葉類と衝突してジャムの発生を誘起する。
【０００５】さらに、図１０に示すように、
収納箱８３内では既集積紙葉類の上面に連続して紙葉類８２が集積するため、折れ癖を有していたり、変形してふわふわしていると、収納箱８３内の集積空間を狭めてしまい、規定の枚数を収納できなくなり、紙葉類の収納効率を低下させてしまう。
【０００６】このため、図１１に示すように、集積部１１１の前段に、回転羽根１１２間で紙葉類１１３を一枚ずつ確実に集積ガイドし、かつ回転羽根１１２の先端で紙葉類１１３を押えて集積空間を確保する集積ホイール１１４を配設し、この集積ホイール１１４の集積作用によりジャムの発生を抑制する紙葉類集積装置が知られている。ところが、この場合は回転羽根間に紙葉類を導くための集積ホイールの回転制御を必要とし、また大きな集積ホイールのために装置が大型化及びコスト高となる問題を有していた。
【０００７】そこでこの発明は、
集積部に導かれる紙葉類の搬入力に着目し、この紙葉類の搬入力を集積動作に利用して紙葉類を一枚ずつ安定して集積動作させることができる紙葉類の集積性能を高めた紙葉類集積装置の提供を目的とする。
【０００８】
【課題を解決するための手段】
上記集積部の紙葉類を集積方向に押圧し、この集積部への紙葉類の搬入に基づいて押圧位置より退避する押圧手段を備えた
【０００９】．請求項２記載の発明は、紙葉類を一枚ずつ集積部に取込んで集積する紙葉類集積装置であって、上記集積部の入口に配設され、ここに導かれた紙葉類の後端部をはたいて取込む羽根車と、
集積部の紙葉類を集積方向に押圧し、この集積部への紙葉類の搬入力に連動して押圧位置より一時的に退避する押圧レバーとを備えた
（１ｃ）「【００１７】
【実施例】この発明の一実施例を以下図面に基づいて詳述する。図１及び図２は紙幣集積装置１１を示し、この
紙幣集積装置１１は紙幣Ａ…を上下方向に一枚ずつ積重ねて集積する集積ケース１２と、この集積ケース１２の上部一側に開口する搬入口１３に配設した紙幣取込み機構１４と、紙幣Ａの搬入動作に応じて上下動する押圧レバー１５とから構成される。
【００１８】上述の
紙幣取込み機構１４は、前段に紙幣Ａを水平に挟持搬送する上下一対の挟持搬送ローラ１６を配設し、ここに導かれた紙幣Ａを集積ケース１２の搬入口１３へと挟持搬送し、この搬入口１３を挟む上下位置に集積ローラ１７と羽根車１８を対設している。
前段から導かれた紙幣Ａを集積ローラ１７と羽根車１８で挟持して一枚ずつ取込み処理し、
紙幣Ａの取込み時に羽根車１８で一枚ずつ強制的にはたき落して下方の集積ケース１２内に速やかに降下させて集積する。
集積ケース１２内には集積空間を確保するための押圧レバー１５の一端を臨ませている。
・・・
【００２５】このように構成された紙幣集積装置１１を、図１〜図６の紙幣集積処理動作を参照して説明する。この紙幣集積装置１１の集積待機時は、図１及び図２に示すように、押圧レバー１５が集積ケース１２内の既集積紙幣を上方から集積方向に押圧して圧縮状態に集積保持している。このため、集積ケース１２内の上方には十分な集積空間を確保して多数枚の紙幣を集積許容する。
【００２６】この待機状態で、今、
搬入口１３に紙幣Ａが導かれると、この導かれた紙幣Ａは、図３及び図４に示すように、紙幣取込み機構１４の挟持搬送ローラ１６に挟持されて水平に搬入し始め、この水平搬入時に紙幣Ａの先端が押圧レバー下面の傾斜当接面１５ｃに緩やかに傾斜当接し、このときの紙幣の搬入力に連動して押圧レバー１５は支点ピン１９を傾動支点に上方に押し上げられ、搬入紙幣に支障のない上方位置に一時退避する。
【００２７】
これにより、集積ケース１２内の上方に集積に適した集積空間を確保し、紙幣Ａは搬入口１３より略水平方向に搬入してそのまま勢いよく直進し、集積ケース１２奥方の垂直壁面に紙幣先端が当って搬入制止される。
【００２８】
このとき、
搬入された紙幣Ａは後端部側が羽根車１８ではたき落され、先端部側がレバー先端部１５ｂで押圧されて、下方に向けて平面的に押し下げられて強制集積される。
【００２９】また、連続して集積動作する場合は、図６に示すように、紙幣Ａが搬入される毎に連動して押圧レバー１５が上下動し、この押圧レバー１５の上下動に伴う押圧・退避作用により一枚ずつ確実に集積動作を実行する。ことに、外国紙幣のように金種によって大きくサイズの異なる紙幣を混合集積する場合であっても集積ケース１２内で確実に集積動作することができる。」
（１ｄ）引用文献１には、以下の図が示されている。
 
 
  
　 
（１−２）引用文献１に記載された発明
ア　摘示（１ｃ）によれば、引用文献１には、以下の発明（以下「引用発明」という。）が記載されているものと認められる。
「紙幣集積装置１１であって、
　紙幣集積装置１１は紙幣Ａを上下方向に一枚ずつ積重ねて集積する集積ケース１２と、この集積ケース１２の上部一側に開口する搬入口１３に配設した紙幣取込み機構１４と、紙幣Ａの搬入動作に応じて上下動する押圧レバー１５とから構成され、
　紙幣取込み機構１４は、前段に紙幣Ａを水平に挟持搬送する上下一対の挟持搬送ローラ１６を配設し、ここに導かれた紙幣Ａを集積ケース１２の搬入口１３へと挟持搬送し、この搬入口１３を挟む上下位置に集積ローラ１７と羽根車１８を対設しており、前段から導かれた紙幣Ａを集積ローラ１７と羽根車１８で挟持して一枚ずつ取込み処理し、紙幣Ａの取込み時に羽根車１８で一枚ずつ強制的にはたき落して下方の集積ケース１２内に速やかに降下させて集積し、
　集積ケース１２内には集積空間を確保するための押圧レバー１５の一端を臨ませ、
　搬入口１３に紙幣Ａが導かれると、この導かれた紙幣Ａは、紙幣取込み機構１４の挟持搬送ローラ１６に挟持されて水平に搬入し始め、この水平搬入時に紙幣Ａの先端が押圧レバー１５下面の傾斜当接面１５ｃに緩やかに傾斜当接し、このときの紙幣の搬入力に連動して押圧レバー１５は支点ピン１９を傾動支点に上方に押し上げられ、搬入紙幣に支障のない上方位置に一時退避し、これにより、集積ケース１２内の上方に集積に適した集積空間を確保し、紙幣Ａは搬入口１３より略水平方向に搬入してそのまま勢いよく直進し、集積ケース１２奥方の垂直壁面に紙幣先端が当って搬入制止され、このとき、搬入された紙幣Ａは後端部側が羽根車１８ではたき落され、先端部側がレバー先端部１５ｂで押圧されて、下方に向けて平面的に押し下げられて強制集積される、
　紙幣集積装置１１。」
　
（２）引用文献２の記載事項
　本願出願前に頒布された刊行物である引用文献２（特開２００９−４６２９８号公報）には、次の記載がある。
（２ａ）「【０００１】
　
本発明は、紙幣や伝票等の紙葉類を搬送して紙葉類収納部に収納する紙葉類集積装置に関する。
【背景技術】
【０００２】
　
従来の
紙葉類集積装置は、紙葉類収納部へ放出された紙葉類の後端を
舌片ローラにより叩き落し
紙葉類収納部に収納している。
【特許文献１】特開２００６−１６８８９５号公報
【発明の開示】
【発明が解決しようとする課題】
【０００３】
　一般に舌片ローラの舌片は紙葉類を叩き落した後、紙葉類のくせ等を押えるために舌片の先端により紙葉類収納部に収納した紙葉類の上面を押さえつけるようにして構成される。
【０００４】
　しかしながら、上述した従来の技術においては、
紙葉類に強い折れくせがあった場合など、叩き落す力が不足し、叩き落した紙葉類が集積部に落下する前に後続の紙葉類が搬送されて、集積不良を起こす原因となる。
【０００５】
　また、叩き落す力が相対的に強い場合は、集積した紙葉類の上面を押さえつけた後、紙葉類を集積面から巻き付けて集積不良を発生する場合があった。さらに、このような集積不良が生じた場合、分離機構を有する紙葉類集積装置の場合には集積した紙葉類を繰り出すときに繰り出し不良を起こす原因となる問題もあった。
【０００６】
　
本発明は、上述の問題を解決するために、紙葉類収納部に集積した紙葉類に折れくせ等があっても、それらの紙葉類を整列させて収納する手段を提供することを目的とする。
【課題を解決するための手段】
【０００７】　
　本発明は、前述の課題を解決するために次の手段を採用する。すなわち、
紙葉類を積層し収納する紙葉類収納部
【発明の効果】
【０００８】
　本発明の紙葉類集積装置によれば、紙葉類を押さえつける際の力を変化させる手段を設けたので、紙葉類の状態に応じて整列して集積することができる。
【発明を実施するための最良の形態】
【０００９】
　以下、本発明に係る実施の形態例を、図面を用いて説明する。なお、図面に共通する要素には同一の符号を付す。
【実施例】
【００１０】
  （構成）
　
図１は実施例の紙葉類集積装置の要部構成を示す
【００１１】
　
１は紙葉類集積装置であり、２は紙葉類収納部である。紙葉類収納部２は
下方に設けられた
昇降可能なステージ３より構成される
【００１２】
　
４は繰出ローラであり、紙葉類収納部２の入口に設けられた繰出ローラシャフト５に
設置されて
回転する。
【００１３】
　
７は分離ローラであり、繰出ローラ４に対向配置されて繰出ローラシャフト５と略並行に配置された分離ローラシャフト８に軸支されている。
この繰出ローラ４と分離ローラ７により、紙葉類収納部２に紙葉類Ｐを放出するためのローラ対が構成される。
【００１４】
　また、分離ローラ７には一方向回転部材としての図示しないワンウェイクラッチが設けられており、図１の矢印Ａで示す紙葉類Ｐの集積方向にのみ回転可能となっており、反集積（分離繰出）方向のときは回転しない。
【００１５】
　
１０は舌片ローラであり、
分離ローラ７の外側
の分離ローラシャフト８に軸支され
紙葉類Ｐの集積方向へは分離ローラ７の回転と連動し、反集積方向には空転する
・・・
【００３０】
  （動作）
　以上の構成により実施例の紙葉類集積装置は、以下のように動作する。本動作を図４ないし図７の紙葉類集積装置の動作説明図、および図８の紙葉類集積装置の動作フローチャート図を用いて以下詳細に説明する。なお、本説明では上面検知センサ１９が紙葉類Ｐを検出すると、ステージ３を紙葉類Ｐ２０枚に相当する量（一定量）だけ降下することとし、すでに降下動作してから紙葉類Ｐが５枚集積されている状態からの動作例とする。
【００３１】
　先ず、紙葉類Ｐを紙葉類集積装置１に挿入すると（ステップＳ１）、図示しない検出器がこれを検知し、制御部２０は紙葉類Ｐの取り込み動作を開始させることになる。
・・・
【００３９】
　続けて集積が続けられると、
紙葉類収納部２に設けられた上面センサ１９により集積された紙葉類Ｐの集積上面位置を検知する
【００４０】
　このとき、
制御部２０は上面センサ１９がＯＮとなった場合、集積された紙葉類Ｐの集積枚数を確認する
【００４１】
　
更に、規定枚数
の集積が完了したか否かの判定を行い
規定枚数の集積が完了していない場合、
強い折れくせの多い紙葉類Ｐなどが集積され、隙間の空いた集積状態の可能性が高いと判断した場合は、規定枚数
に到らないうちに上面検知センサ１９がＯＮしたものと判断する。
【００４２】
　
制御部２０は、反り発生シャフト９を
紙葉類収納部２側に移動させ、舌片１１ａないし１１ｄの回転軌跡空間Ｔ内に位置づける
すると、
反り発生シャフト９と舌片１１ｄが当接し、可撓性を有する舌片１１ｄが撓められ、舌片１１ｃに示すようにその反発力により強い力で紙葉類Ｐを押さえつけ紙葉類Ｐの集積を行い
【００４３】
　なお、ステップＳ７において、規定枚数集積されていると判定された場合に、上面検知センサ１９がＯＮしているかチェックして、ＯＮしている場合は次ステップＳ１０へ移る（ステップＳ９）。上面検知センサ１９がＯＦＦの場合はステップＳ２に戻り、反り発生シャフト９を初期位置に戻して以降の動作を繰り返す。
【００４４】
　
制御部２０は、反り発生シャフト９による強い力で押さえつけても上面検知センサ１９がＯＮしている場合は集積された紙葉類Ｐの上面高さが規定枚数以下
でも、これ以上の集積を行うとジャムする可能性があるとして、ステージ昇降用モータ２３を駆動してステージ３を一定量降下させる
（２ｂ）引用文献２には、以下の図が示されている。
 
２−２　対比・判断 
２−２−１　本願発明１について
（１）対比 
　本願発明１と引用発明とを対比する。 
ア　引用発明の「紙幣Ａ」は、本願発明１の「媒体」に相当する。
イ　引用発明の「紙幣Ａを上下方向に一枚ずつ積重ねて集積する集積ケース１２」は、「集積ケース１２内の上方に集積に適した集積空間を確保」するように構成されるものであるから、上記「集積ケース１２」の内部に、紙幣Ａを収容する内部空間が形成されていることは明らかである。
　したがって、引用発明の上記「集積ケース１２」は、上記アをも踏まえると、本願発明１の「内部に形成された内部空間に媒体を収容するフレーム」に相当するものといえる。
ウ　本願明細書の「また紙幣搬送ローラ３５は、このとき紙幣ＢＬが搬送路Ｗ１上にあれば、当該紙幣ＢＬを紙幣搬送ローラ３６をとの間に挟み込んで前方へ送り出し、紙幣搬送ローラ３５及び３６の当接点である放出点Ｐから当該紙幣ＢＬを集積空間ＳＣ内へ放出する。以下では、紙幣搬送ローラ３５及び３６を合わせて放出部３７と呼ぶ。」（【００６５】）との記載によれば、本願発明１の「放出部」とは、少なくとも「搬送路Ｗ１上」の「紙幣ＢＬ」を「前方へ送り出」すとともに、「当該紙幣ＢＬを集積空間ＳＣ内へ放出する」機能を備えた構成と理解することができる。
　ここで、引用発明の「紙幣取込み機構１４」は、「前段に紙幣Ａを水平に挟持搬送する上下一対の挟持搬送ローラ１６を配設し、ここに導かれた紙幣Ａを集積ケース１２の搬入口１３へと挟持搬送し、この搬入口１３を挟む上下位置に集積ローラ１７と羽根車１８を対設しており、前段から導かれた紙幣Ａを集積ローラ１７と羽根車１８で挟持して一枚ずつ取込み処理し、紙幣Ａの取込み時に羽根車１８で一枚ずつ強制的にはたき落して下方の集積ケース１２内に速やかに降下させて集積」するものであるから、上記「搬入口１３を挟む上下位置に」「対設して」設けられた「集積ローラ１７と羽根車１８」が、「前段から導かれた紙幣Ａを」「挟持して一枚ずつ取込み処理」することで、搬送路にある紙幣Ａを前方へ送り出すとともに、当該紙幣Ａを集積ケース１２の内部空間内へ放出することは技術的に明らかである。
　したがって、引用発明の「集積ローラ１７」及び「羽根車１８」と、本願発明１の「上記内部空間のうち上記ステージの上記載置面側である集積空間内へ上記媒体を放出する放出部」とは、上記ア、イをも踏まえると、「上記内部空間の集積空間内へ上記媒体を放出する放出部」の限度で共通するものといえる。
エ　引用発明は、「搬入された紙幣Ａは後端部側が羽根車１８ではたき落され」るものであるから、上記「羽根車１８」が、紙幣Ａの一部を、所定の叩付可能範囲にあるときに、当該紙幣の一部を集積済みの紙幣上に叩き付けることは技術的に明らかである。
　したがって、引用発明の「羽根車１８」と、本願発明１の「上記媒体の一部が所定の叩付可能範囲にあるときに、当該媒体の一部を上記ステージの上記載置面又は当該載置面上に載置された集積済みの媒体上に叩き付ける叩付部」とは、上記アをも踏まえると、「上記媒体の一部が所定の叩付可能範囲にあるときに、集積済みの媒体上に叩き付ける叩付部」の限度で共通するものといえる。
オ　引用発明の「紙幣集積装置１１」は、本願発明１の「媒体集積装置」に相当する。
　
　したがって、本願発明１と引用発明とは、
「内部に形成された内部空間に媒体を収容するフレームと、
　上記内部空間の集積空間内へ上記媒体を放出する放出部と、
　上記媒体の一部が所定の叩付可能範囲にあるときに、集積済みの媒体上に叩き付ける叩付部と、
　を具える、
　媒体集積装置。」の点で一致し、以下の点で相違する。 
　
＜相違点＞ 
　本願発明１は、「上記内部空間内を上方向又は下方向へ移動可能であり、載置面上に上記媒体を載置して集積するステージ」を備えるものであって、「放出部」が、上記内部空間のうち「上記ステージの上記載置面側である」集積空間内へ媒体を放出し、「叩付部」が、「当該媒体の一部を上記ステージの上記載置面又は当該載置面上に載置された」集積済みの媒体上に叩き付けるものであり、さらに、「上記媒体の進行路よりも上側に持ち上げられた持上状態と、該進行路よりも下側に下降した下降状態との間を遷移し、上記放出部から上記集積空間内へ放出された上記媒体の一部分を上記叩付可能範囲内へ誘導する誘導体」を備えるものであって、「上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである」のに対し、
　引用発明は、集積ケース１２の内部空間内に「ステージ」を備えるものではないが、「紙幣Ａの搬入動作に応じて上下動する押圧レバー１５」を備え、「搬入口１３に紙幣Ａが導かれると、この導かれた紙幣Ａは、紙幣取込み機構１４の挟持搬送ローラ１６に挟持されて水平に搬入し始め、この水平搬入時に紙幣Ａの先端が押圧レバー１５下面の傾斜当接面１５ｃに緩やかに傾斜当接し、このときの紙幣の搬入力に連動して押圧レバー１５は支点ピン１９を傾動支点に上方に押し上げられ、搬入紙幣に支障のない上方位置に一時退避し、これにより、集積ケース１２内の上方に集積に適した集積空間を確保し、紙幣Ａは搬入口１３より略水平方向に搬入してそのまま勢いよく直進し、集積ケース１２奥方の垂直壁面に紙幣先端が当って搬入制止され、このとき、搬入された紙幣Ａは後端部側が羽根車１８ではたき落され、先端部側がレバー先端部１５ｂで押圧されて、下方に向けて平面的に押し下げられて強制集積される」ものである点。
　
（２）判断
　上記相違点について検討する。
ア　引用発明は、摘示（１ｂ）のとおり、「長さが異なる紙葉類を混合集積したとき、短寸紙葉類８２ａは収納箱８３の奥方に移動して羽根車８５の回転接触領域外に離れて、羽根車８５の強制集積作用を受けずに緩やかに落下するため次搬入紙葉類と衝突してジャムの発生を誘起する。」（段落【０００４】）、及び「収納箱８３内では既集積紙葉類の上面に連続して紙葉類８２が集積するため、折れ癖を有していたり、変形してふわふわしていると、収納箱８３内の集積空間を狭めてしまい、規定の枚数を収納できなくなり、紙葉類の収納効率を低下させてしまう。」（段落【０００５】）といった従来技術の問題に鑑み、「集積部に導かれる紙葉類の搬入力に着目し、この紙葉類の搬入力を集積動作に利用して紙葉類を一枚ずつ安定して集積動作させることができる紙葉類の集積性能を高めた紙葉類集積装置の提供」（段落【０００７】）を解決課題とするものである。
　そして、かかる課題を解決するために、引用発明は、少なくとも「紙幣Ａの搬入動作に応じて上下動する押圧レバー１５」を備えたものと理解することができる（段落【０００８】、【０００９】）。
イ　他方、引用文献２には、摘示（２ａ）のとおり、「紙幣や伝票等の紙葉類を搬送して紙葉類収納部に収納する紙葉類集積装置」に関する技術について開示されており（段落【０００１】）、具体的には、
　紙葉類を積層し収納する紙葉類収納部２と（段落【０００７】、【００１１】）、
　紙葉類収納部２の下方に設けられた昇降可能なステージ３と（段落【００１１】）、
　紙葉類収納部２に紙葉類Ｐを放出するためのローラ対であって（段落【００１３】）、紙葉類収納部２の入口に設けられた繰出ローラシャフト５に設置されて回転する繰出ローラ４（段落【００１２】）及び繰出ローラ４に対向配置されて繰出ローラシャフト５と略並行に配置された分離ローラシャフト８に軸支されている分離ローラ７（段落【００１３】）と、
　分離ローラ７の外側の分離ローラシャフト８に軸支され、紙葉類Ｐの集積方向へは分離ローラ７の回転と連動し反集積方向には空転する舌片ローラ１０と（段落【００１５】）、
を備える紙葉類集積装置１において、
　紙葉類収納部２に設けられた上面センサ１９により集積された紙葉類Ｐの集積上面位置を検知すること（段落【００３９】）、
　制御部２０は上面センサ１９がＯＮとなった場合、集積された紙葉類Ｐの集積枚数を確認し（段落【００４０】）、さらに、規定枚数の集積が完了したか否かの判定を行い、規定枚数の集積が完了していない場合（強い折れくせの多い紙葉類Ｐなどが集積され、隙間の空いた集積状態の可能性が高いと判断した場合）は、規定枚数に到らないうちに上面検知センサ１９がＯＮしたものと判断し（段落【００４１】）、制御部２０は、反り発生シャフト９を紙葉類収納部２側に移動させ、舌片１１ａないし１１ｄの回転軌跡空間Ｔ内に位置づけること、すると、反り発生シャフト９と舌片１１ｄが当接し、可撓性を有する舌片１１ｄが撓められ、舌片１１ｃに示すようにその反発力により強い力で紙葉類Ｐを押さえつけ紙葉類Ｐの集積を行うこと（段落【００４２】）、
　制御部２０は、反り発生シャフト９による強い力で押さえつけても上面検知センサ１９がＯＮしている場合、集積された紙葉類Ｐの上面高さが規定枚数以下でもこれ以上の集積を行うとジャムする可能性があるとして、ステージ昇降用モータ２３を駆動してステージ３を一定量降下させる（段落【００４４】）、という技術（以下「引用文献２に記載された技術事項」ということもある。）が記載されている。
ウ　ここで、引用文献２に記載された技術事項は、紙葉類収納部へ放出された紙葉類の後端を、舌片ローラにより叩き落して収納する紙葉類集積装置において（段落【０００２】）、紙葉類に強い折れくせがあった場合などに生じる問題、例えば、叩き落す力が不足し、叩き落した紙葉類が集積部に落下する前に後続の紙葉類が搬送されて集積不良を起こす等の問題に鑑みて（段落【０００４】）、紙葉類収納部に集積した紙葉類に折れくせ等があっても、それらの紙葉類を整列させて収納する手段を提供する、という課題を解決するための技術と理解することができるが（段落【０００６】）、引用発明は、上記アで述べたとおり、そのような課題は「押圧レバー１５」の採用によって既に解決済みということができるから、引用発明に引用文献２に記載された技術事項を適用する積極的な動機付けは見いだせない。
　また、引用発明の「押圧レバー１５」は、「集積ケース１２内の上方に集積に適した集積空間を確保」するものであって、「搬入された紙幣Ａ」は、その「先端部側がレバー先端部１５ｂで押圧されて、下方に向けて平面的に押し下げられて強制集積される」というものであるから、本願発明１の「上記放出部から上記集積空間内へ放出された上記媒体の一部分を上記叩付可能範囲内へ誘導する誘導体」とは、その機能において異なることが明らかであるところ、上記「押圧レバー１５」は、集積ケース１２自体の集積空間を考慮し、紙幣の先端部を押圧し得るようにその配設位置が最適化されたものというべきであるから、そのような集積ケース１２内に、引用文献２に記載された「昇降可能なステージ３」を配置することは、むしろ阻害要因が存在するということもできる。
　さらに、引用文献２に記載された「昇降可能なステージ３」の昇降を制御する制御部２０は、上面センサ１９により集積された紙葉類Ｐの集積上面位置を検知し、反り発生シャフト９による強い力で押さえつけても上面検知センサ１９がＯＮしている場合、集積された紙葉類Ｐの上面高さが規定枚数以下でもこれ以上の集積を行うとジャムする可能性があるとして、ステージ昇降用モータ２３を駆動してステージ３を一定量降下させる、というものであるから、上記「昇降可能なステージ３」は、上記相違点にかかる本願発明１の「上記ステージの高さは、上記放出部から放出された上記媒体の先端が、上記ステージの上記載置面又は当該載置面に載置された上記集積済の媒体上にまで下降した場合であっても、上記誘導体が上記持上状態から上記下降状態に遷移したときに該誘導体の一部である当接部により上記媒体の末端を上記叩付部の上記叩付可能範囲内に押し入れ得る高さである」ように構成されるものでもない。
　したがって、引用発明に、上記引用文献２に記載された技術事項を適用しても、上記相違点に係る本願発明１の構成には至らない。
エ　以上のとおり、上記相違点に係る本願発明１の構成は、引用発明及び引用文献２に記載された技術事項に基いて当業者が容易に想到し得るものということはできないから、本願発明１は、引用文献１及び２に記載された発明に基いて、当業者が容易に発明をすることができたものではない。
　
２−２−２　本件発明２〜９について
　本件発明２〜９は、本件発明１の発明特定事項を全て含み、さらに限定して発明を特定するものであるから、本件発明１と同様に、引用文献１及び２に記載された発明に基いて、当業者が容易に発明をすることができたとはいえない。
　
２−２−３　本件発明１０について
　本願発明１０は、実質的に、上記相違点に係る本願発明１の構成を備えているから、本件発明１と同様に、引用文献１及び２に記載された発明に基いて、当業者が容易に発明をすることができたとはいえない。
　
第５　むすび 
　以上のとおりであるから、原査定の理由によっては、本願を拒絶することはできない。 
　また、他に本願を拒絶すべき理由を発見しない。 
　よって、結論のとおり審決する。